(57)【要約】【課題】底部層の底面と外側面に図案を付し多様な外観を呈しつつ、底部層と一体に形成した滑り止め効果を有する滑り止め部とを備える靴底を提供すること。【解決手段】射出成形によって製作され、足型部材と、該足型部材の周囲から上面部に向かって延設される壁部材とを備える底部層と、前記底部層の底面に結合され、該底部層の足型部材の下面部と前記壁部材の外面部に貼り付けられる織物層と、前記底部層の足型部材の下面における織物層に形成される少なくとも一つの滑り止め部材とを有する。【選択図】図１
0003155688.tif 000002
【実用新案登録請求の範囲】
【請求項１】
射出成形によって製作され、足型部材と、該足型部材の周囲から上面部に向かって延設される壁部材とを備える底部層と、
前記底部層の底面に結合され、該底部層の足型部材の下面部と前記壁部材の外面部に貼り付けられる織物層と、
前記底部層の足型部材の下面における織物層に形成される少なくとも一つの滑り止め部材とを有することを特徴とする靴底。
【請求項２】
前記足型部材の前端につま先部が設けられると共に、前記壁部材における、該つま先部と対応する位置に前側壁が設けられることを特徴とする請求項１に記載の靴底。
【請求項３】
前記壁部材における、前記足型部材の両側と対応する位置に夫々、側壁が設けられることを特徴とする請求項１又は２に記載の靴底。
【請求項４】
前記足型部材の後端に踵部が設けられると共に、前記壁部材における、該踵部と対応する位置に後側壁が設けられることを特徴とする請求項１又は２に記載の靴底。
【請求項５】
前記足型部材の後端に踵部が設けられると共に、前記壁部材における、該踵部と対応する位置に後側壁が設けられることを特徴とする請求項３に記載の靴底。
【請求項６】
前記底部層は、透明なプラスチック部材であり、前記足型部材は、表面に図案が付される上面部と、該上面部と反対する側に形成されると共に、該上面部の図案を透視できる下面部と、を備えることを特徴とする請求項１又は２に記載の靴底。
【請求項７】
前記底部層は、透明なプラスチック部材であり、前記足型部材は、表面に図案が付される上面部と、該上面部と反対する側に形成されると共に、該上面部の図案を透視できる下面部と、を備えることを特徴とする請求項５に記載の靴底。
【請求項８】
前記少なくとも一つの滑り止め部材が、少なくとも一つの円柱状凸部を備えることを特徴とする請求項１に記載の靴底。
【請求項９】
前記少なくとも一つの滑り止め部材が、少なくとも一つの湾曲状凸部を備えることを特徴とする請求項１に記載の靴底。
【請求項１０】
前記少なくとも一つの滑り止め部材が、少なくとも一つの波状凸部を備えることを特徴とする請求項１に記載の靴底。
【考案の詳細な説明】
【技術分野】
【０００１】
本考案は特に底部層の底面及び外側面に色彩や図案（図柄）などの模様が付される織物層を有する靴底に関するものである。
【背景技術】
【０００２】
図５に示すように、従来の靴底（例えば、革靴の靴底やハイヒールの靴底など）は、プラスチックの射出成形技術によって形成される底部層（５０）と、多様な模様を靴底に付すために、該底部層（５０）の底面及び外側面に夫々、塗料などが塗布した側面色彩層（５１）及び底面色彩層（５２）を有するものである。
【０００３】
また図６に示すように、従来の靴底（例えば、スニーカーの靴底やサンダルの靴底など）は、プラスチックの射出成形技術によって形成される底部層（６０）と、プラスチックの射出成形技術によって形成され、滑り止め効果を有し、前記底部層（６０）の底面に接着剤で接着されると共に、異なる色彩を付した複数の滑り止め部材（６１）とを有するものである。
【考案の概要】
【考案が解決しようとする課題】
【０００４】
しかしながら、前記した従来の靴底は、底部層（５０）に塗布された塗料などや、底部層（６０）に滑り止め部材（６１）を接着させる接着剤は、重金属などの有害物を含んでいる可能性があるので、使用者の健康に悪影響を与えるといった問題があるだけでなく、環境汚染にも繋がってしまう。
また、従来の靴底における滑り止め部材（６１）は、接着剤で底部層（６０）に接着されるものであることから、時間が経つと接着剤の粘着度がなくなり、次第に滑り止め部材（６１）が低下してしまうといった問題があった。
【０００５】
そこで、考案されたのが本考案であって、底部層の底面と外側面に図案を付すことにより、多様な外観を提供する織物層と、底部層と一体に形成され、滑り止め効果を向上させるための滑り止め部とを備える靴底を提供することを目的としている。
【課題を解決するための手段】
【０００６】
本願の請求項１の考案は、射出成形によって製作され、足型部材と、該足型部材の周囲から上面部に向かって延設される壁部材とを備える底部層と、
前記底部層の底面に結合され、該底部層の足型部材の下面部と前記壁部材の外面部に貼り付けられる織物層と、
前記底部層の足型部材の下面における織物層に形成される少なくとも一つの滑り止め部材とを有することを特徴とする靴底、を提供する。
【０００７】
本願の請求項２の考案は、前記足型部材の前端につま先部が設けられると共に、前記壁部材における、該つま先部と対応する位置に前側壁が設けられることを特徴とする請求項１に記載の靴底、を提供する。
【０００８】
本願の請求項３の考案は、前記壁部材における、前記足型部材の両側と対応する位置に夫々、側壁が設けられることを特徴とする請求項１又は２に記載の靴底、を提供する。
【０００９】
本願の請求項４の考案は、前記足型部材の後端に踵部が設けられると共に、前記壁部材における、該踵部と対応する位置に後側壁が設けられることを特徴とする請求項１又は２に記載の靴底、を提供する。
【００１０】
本願の請求項５の考案は、前記足型部材の後端に踵部が設けられると共に、前記壁部材における、該踵部と対応する位置に後側壁が設けられることを特徴とする請求項３に記載の靴底、を提供する。
【００１１】
本願の請求項６の考案は、前記底部層は、透明なプラスチック部材であり、
前記足型部材は、表面に図案が付される上面部と、該上面部と反対する側に形成されると共に、該上面部の図案を透視できる下面部と、を備えることを特徴とする請求項１又は２に記載の靴底、を提供する。
【００１２】
本願の請求項７の考案は、前記底部層は、透明なプラスチック部材であり、
前記足型部材は、表面に図案が付される上面部と、該上面部と反対する側に形成されると共に、該上面部の図案を透視できる下面部と、を備えることを特徴とする請求項５に記載の靴底、を提供する。
【００１３】
本願の請求項８の考案は、前記少なくとも一つの滑り止め部材が、少なくとも一つの円柱状凸部を備えることを特徴とする請求項１に記載の靴底、を提供する。
【００１４】
本願の請求項９の考案は、前記少なくとも一つの滑り止め部材が、少なくとも一つの湾曲状凸部を備えることを特徴とする請求項１に記載の靴底、を提供する。
【００１５】
本願の請求項１０の考案は、前記少なくとも一つの滑り止め部材が、少なくとも一つの波状凸部を備えることを特徴とする請求項１に記載の靴底、を提供する。
【考案の効果】
【００１６】
本考案は上記の課題を解決するものであり、底部層の底面と外側面に図案を付すことにより、多様な外観を提供する織物層と、底部層と一体に形成され、滑り止め効果を向上させるための滑り止め部とを備える靴底を提供することができる。
【図面の簡単な説明】
【００１７】
【図１】本考案に係る靴底の上面視斜視図である。
【図２】本考案に係る靴底の下面視斜視図である。
【図３Ａ】本考案に係る靴底の部分拡大断面図である。
【図３Ｂ】本考案に係る靴底における底部層と織物層の部分拡大断面図である。
【図４】本考案に係る靴底をプラスチックの射出成形の金型にて成形する状態を示す部分側面断面図である
【図５】従来の靴底の下面視斜視図である。
【図６】従来の靴底の他の下面視斜視図である。
【考案を実施するための形態】
【００１８】
以下に添付した図面を参照しながら本考案の好適な実施の形態について詳細に説明する。
また、以下の記載は本考案の好適な実施の形態を示したものにすぎず、本考案の技術的範囲は、以下の実施例そのものに何ら限定されるものではない。
【００１９】
図１は本考案に係る靴底の上面視斜視図であり、図２は本考案に係る靴底の下面視斜視図であり、図３Ａは本考案に係る靴底の部分拡大断面図であり、図３Ｂは本考案に係る靴底における底部層と織物層の部分拡大断面図であり、図４は本考案に係る靴底をプラスチックの射出成形の金型にて成形する状態を示す部分側面断面図である。
【００２０】
図１に示すように、本考案に係る靴底は、底部層（１０）と、織物層（２０）と、少なくとも一つの滑り止め部材（３０）とを有するものである。
【００２１】
その内、前記底部層（１０）は、プラスチック材料からなると共に、射出成形によって製作され、足型部材（１１）と、壁部材（１２）とを備えるものである。また、前記底部層（１０）は、透明なプラスチック部材であってもよい。
【００２２】
前記足型部材（１１）は、表面に図案（例えば、商標や符号など）を付すことができる上面部と、該上面部と反対する側に形成されると共に、該上面部の図案など透視できる下面部と、前端に形成されるつま先部と、後端に形成される踵部とを備えるものである。
また、前記踵部は、前記つま先部より肉厚であると共に、前記下面部に延設される直片体ヒールやテーパー状ヒールなどのを備えることが好ましい。
【００２３】
前記壁部材（１２）は、前記足型部材（１１）の周囲に形成されると共に、該足型部材（１１）の上面部から延出され、前記つま先部から延出される前側壁（１２０）と、該足型部材（１１）の両側から夫々延出される二つの側壁（１２１）と、前記踵部から延出される後側壁（１２２）とを備えるものである。
【００２４】
図２乃至図３Ｂに示すように、織物層（２０）は、上部が底部層（１０）の底面に結合され、足型部材（１１）の下面部と壁部材（１２）の外面部に貼り付けられるものである。
また、前記織物層（２０）は、縦糸と横糸とを組み合わせて作った布地である織物からなるものであり、射出成形によって、プラスチック材料が織物に部分的に、又は全体的に染み込むので、前記足型部材（１１）と壁部材（１２）に埋まれることができる。
また、前記織物層（２０）は、前記足型部材（１１）の上面部の商標や符号などを表示するものであり、肉薄で透明な織物であってもよく、また、様々な図案や模様などを付すことができると共に、多様性を有することが好ましい。
【００２５】
前記した少なくとも一つの滑り止め部材（３０）は、前記底部層（１０）の足型部材（１１）の下面から延出すると共に、前記織物層（２０）上に形成され、少なくとも一つの凸部を備えるものである。
また、前記凸部は、円柱状凸部（３１）、湾曲状凸部（３２）、或いは波状凸部（３３）などの何れかであることが好ましい。
【００２６】
図４に示すように、本考案の靴底の製作するプロセスは、パソコンで３Ｄの設計図を作成するステップと、該設計図に基づいてプラスチック射出成形するための金型（４０）を作るステップとを有する。
また、織物層（２０）の色や図柄などを設計し、設計した図柄を付す織物層（２０）がぴんと張りながら前記金型（４０）に配置するステップを有する。
そして、射出成形技術によって、プラスチック材料を金型（４０）に注入すると共に、織物層（２０）を浸潤し、底部層（１０）と滑り止め部材（３０）を一体に構成させる。
靴底は、金型（４０）から脱出され、過剰な織物層（２０）を切られると完成する。
【００２７】
本考案の靴底は、多様な織物層（２０）を有するので、靴底のデザイン性を向上させることができると共に、重金属などの有害物を含む塗料などを使わないので、環境に悪影響をもたらすことはない。
【００２８】
さらに、少なくとも一つの滑り止め部材（３０）は、底部層（１０）から延出すると共に、底部層（１０）と一体的に形成されるものであり、優れた滑り止め効果を有するので、滑り止め部材（３０）の脱落を防ぐことができる。
【００２９】
本考案の靴底は、底部層（１０）を構成するステップと、織物層（２０）を底部層（１０）の底面に結合させるステップと、織物層（１０）をプラスチック材料に浸潤させることにより、滑り止め部材（３０）を底部層（１０）から延出させるステップとから簡単に製造できるものであり、また、前記製造プロセスを用いれば、コストダウンを実現することができる。
【産業上の利用可能性】
【００３０】
本考案は上記の構成を有するので、底部層の底面と外側面に図案を付した、多様な外観を提供するための織物層と、底部層と一体に形成され、滑り止め効果を有する滑り止め部とを備えるので、従来の課題を解決することができる。
【符号の説明】
【００３１】
１０・・・・・・底部層
１１・・・・・・足型部材
１２・・・・・・壁部材
１２０・・・・・前側壁
１２１・・・・・側壁
１２２・・・・・後側壁
２０・・・・・・織物層
３０・・・・・・滑り止め部材
３１・・・・・・円柱状凸部
３２・・・・・・湾曲状凸部
３３・・・・・・波状凸部
【図１】
0003155688.tif 000003
【図２】
0003155688.tif 000004
【図３Ａ】
0003155688.tif 000005
【図３Ｂ】
0003155688.tif 000006
【図４】
0003155688.tif 000007
【図５】
0003155688.tif 000008
【図６】
0003155688.tif 000009